(57)【要約】【課題】受信状況に応じて適切なパルスノイズの検出を行い、受信信号に混入するパルスノイズを精度良く除去する。【解決手段】ＳＷ回路２２は、受信状況検出回路２１手段によって検出される受信状況に応じて、受信信号の受信処理の過程に関して予め定める複数の異なる位置Ａ、Ｂ、Ｃ、Ｄから１つの位置を選択する。パルスノイズ検出回路２３は、ＳＷ回路２２によって選択される位置から入力される受信信号中で、パルスノイズを検出する。パルスノイズ検出回路２３からの出力は、遅延回路２４を経て、波形処理回路２５を制御する。波形処理回路２５は、検波回路１１での検波によって復調される低周波信号から、パルスノイズ検出回路２３によってパルスノイズが検出されるとき、パルスノイズを含む部分を除去する。【選択図】      図１
2004363694.tif 000002
【特許請求の範囲】
【請求項１】
受信信号を増幅や通過帯域幅の制限を行って受信処理し、受信信号にパルスノイズが含まれるときに、パルスノイズを除去するノイズキャンセラを備える受信装置において、
受信信号の受信状況を検出する受信状況検出手段と、
受信状況検出手段によって検出される受信状況に応じて、受信信号の受信処理の過程に関して予め定める複数の異なる位置から１つの位置を選択し、選択される位置から受信信号を入力する入力位置選択手段と、
入力位置選択手段によって選択される位置から入力される受信信号中で、パルスノイズを検出するノイズ検出手段と、
ノイズ検出手段によってパルスノイズが検出されるとき、受信処理される受信信号中から、パルスノイズを含む部分を除去するノイズ除去手段とを含むことを特徴とするノイズキャンセラを備える受信装置。
【請求項２】
前記受信処理は、スーパヘテロダイン方式で行われ、
前記受信信号を高周波増幅する高周波増幅器に、出力に基づくＡＧＣ機能が設けられ、
前記受信状況検出手段は、前記受信状況の検出に、該高周波増幅器のＡＧＣ機能の制御出力を利用することを特徴とする請求項１記載のノイズキャンセラを備える受信装置。
【請求項３】
前記受信処理は、スーパヘテロダイン方式で行われ、
前記受信信号を周波数変換した中間周波数を増幅する中間周波増幅器に、出力に基づくＡＧＣ機能が設けられ、
前記受信状況検出手段は、前記受信状況の検出に、該中間周波増幅器のＡＧＣ機能の制御出力を利用することを特徴とする請求項１または２記載のノイズキャンセラを備える受信装置。
【請求項４】
前記中間周波増幅器は、複数段設けられ、前段側よりも後段側の方が通過帯域が狭くなり、各段の中間周波増幅器に、それぞれの出力に基づくＡＧＣ機能が設けられており、
前記受信状況検出手段は、前記受信状況の検出に、該複数段の中間周波増幅器のＡＧＣ機能の制御出力の組合せを利用することを特徴とする請求項３記載のノイズキャンセラを備える受信装置。
【請求項５】
前記受信処理では、前記受信信号の入力強度を表すシグナルメータ電圧が出力され、
前記受信状況検出手段は、前記受信状況の検出に、該シグナルメータ電圧を利用することを特徴とする請求項１〜４のいずれかに記載のノイズキャンセラを備える受信装置。
【発明の詳細な説明】
【０００１】
【発明の属する技術分野】
本発明は、受信信号中に混入するパルスノイズを除去することができるノイズキャンセラを備える受信装置に関する。
【０００２】
【従来の技術】
従来から、自動車などに搭載されて移動しながら放送電波などを受信する受信装置には、ノイズキャンセラが設けられている。自車や他車からパルスノイズが発生して、受信する放送電波などに混入すると、受信して再生する音質を雑音として損ねるので、ノイズキャンセラで除去するためである。
【０００３】
受信装置は、アンテナに到来する無線電波に基づいて発生する微弱な高周波信号を増幅し、検波などによって復調し、音響出力などとして再生する。微弱な信号を復調可能な程度まで増幅したり、受信周波数が近接する他の受信信号と区別して目的の受信信号のみを選択することを、アンテナに到来する受信信号の本来の高周波ＲＦで行うことは困難であるので、受信信号をいったん中間周波数ＩＦに変換してから増幅したり通過帯域幅を制限したりするスーパヘテロダイン方式が広く用いられている。中間周波数は、固定された周波数であり、通過帯域幅を制限するフィルタなどを、周波数が可変な場合に比較して構成しやすい。
【０００４】
ただし、通過帯域幅を制限するフィルタを通過するパルスノイズは、波形がなまり、尖鋭度は減少するけれども、継続時間が増大する。波形のなまりは、通過帯域幅が狭くなるほど顕著になる。ノイズキャンセラでパルスノイズを除去する時間が一定であると、通過帯域幅が狭くなってパルスノイズの継続時間が増大すると、パルスノイズを完全に除去することができないおそれがある。パルスノイズの除去時間を長くすると、通過帯域幅が広いときに、パルスノイズ以外の成分まで除去してしまい、正確に受信信号を復調することができなくなる。
【０００５】
中間周波数の通過帯域幅が広いと、マルチパスや隣接妨害等の受信状況の影響を受けやすい。通過帯域幅が狭いと、受信中の電波が過変調であるときに検波出力に歪みが生じやすくなる。そこで、受信状況に応じて、通過帯域幅を切換えることを可能にするＦＭ受信機などが用いられている。このようなＦＭ受信機で、ＦＭ検波後にステレオデコーダがステレオの成分に分離する前のコンポジット信号中からパルスノイズを検出し、パルスノイズが検出されるときに、コンポジット信号をステレオデコーダに与えないように、ゲートを遮断するノイズキャンセラを設け、ゲート幅を通過帯域幅に応じて可変する先行技術が提案されている（たとえば、特許文献１参照）。
【０００６】
しかしながら、パルスノイズの検出は、パルスノイズが立上ってからしか行うことができない。パルスノイズの立上がりを検出してから、ゲートなどを閉じる制御を行っても、立上がりの部分を通過させてしまう。特許文献１の先行技術のノイズキャンセラでは、コンポジット信号をローパスフィルタを通してゲート回路に導き、パルスノイズの検出は、ローパスフィルタを通さないコンポジット信号をハイパスフィルタを通して整流し、整流電圧を比較器で弁別して、基準レベルを超えると単安定マルチバイブレータから一定のパルス幅のゲート信号でゲート回路を閉じて、パルスノイズの除去を行う。受信状況の検出は、通過帯域幅を切換えるフィルタに入る前の中間周波数の受信信号をハイパスフィルタに通して整流し、整流出力を基準レベルと比較して行う。整流出力が基準レベルを超えるときは、隣接妨害やマルチパスなどによる受信状況悪化と判断し、中間周波数の通過周波数帯域幅を狭くし、ノイズキャンセラの単安定マルチバイブレータのパルス幅を増大させて、ゲートを閉じる時間を長くしている。
【０００７】
パルスノイズを検出する受信信号を入力する位置を受信系統で前段側にすれば、後段側でのパルスノイズの立上がり前に、パルスノイズ除去の準備を開始することができる。すなわち、通過帯域幅を制限するフィルタなどを通過するパルスノイズは、波形のなまりによって継続時間が増大するとともに、時間的な遅延も生じるので、フィルタなどを通過させる前の受信信号からパルスノイズの検出を行い、この検出結果に基づいてゲートなどの開閉を制御すれば、立上がりの部分も含めてパルスノイズの除去を行うことができる。本件出願人は、高周波増幅器の出力からパルスノイズを検出して、中間周波増幅後の検波出力をスイッチで遮断するパルス性ノイズキャンセラを開示している（たとえば、特許文献２参照。）。
【０００８】
従来の車載用受信装置などでは、中波（ＭＷ）の周波数帯域のＡＭ放送と、超短波（ＶＨＦ）の周波数帯域のＦＭ放送とを受信する目的で、第１の中間周波数を１０．７ＭＨｚ帯とし、第２の中間周波数を４５０ｋＨｚ帯とするダブルスーパ方式が用いられている。第１の中間周波数は中波の周波数帯域よりも高周波側であるので、５００ｋＨｚ〜１６００ｋＨｚの中波周波数帯で放送されるＡＭ放送の受信に関しては、受信する高周波よりも第１中間周波数が高いことになる。第１中間周波数は、第２中間周波数よりも高いので、通過周波数帯域を充分に狭くすることはできないけれども、周波数を変えて受信する必要がある直接のＡＭ放送周波数用の高周波増幅段よりは、通過周波数帯域を狭くすることができ、イメージ妨害比などを改善することができる。このようなダブルスーパ方式の受信装置におけるパルスノイズキャンセラのパルスノイズ検出位置は、次の３つに大別される。
【０００９】
▲１▼ＩＦ広帯域（例：ＡＭラジオの場合、第１ＩＦ（１０．７ＭＨｚ帯）のＩＦフィルタの前または後）
▲２▼ＩＦ狭帯域（例：ＡＭラジオの場合、第２ＩＦ（４５０ｋＨｚ帯）のＩＦフィルタの前または後）
▲３▼ＡＦ帯（例：ＡＭラジオの場合、検波後）
【００１０】
【特許文献１】
特開平８−５６１６８号公報
【特許文献２】
特開２０００−９１９３３号公報
【００１１】
【発明が解決しようとする課題】
特許文献１のように、ノイズキャンセラの動作を中間周波増幅の通過周波数帯域幅を切換えるフィルタに合わせて切換えても、パルスノイズの立上がりまえに除去動作を開始させることは困難である。特許文献２のような高周波出力や、前述の▲１▼のようなＩＦ広帯域など、受信処理系等の前段側でパルスノイズの立上がりを検出すれば、後段側でパルス除去を行う時点に先行してパルスノイズの検出を行うことができ、パルスノイズの立上がり部分の除去も確実に行うことができる。しかしながら、通過周波数帯域は広帯域であるので、受信信号と近い周波数に電界強度が高い妨害波があると、その受信強度が大きく、受信電圧を基準電圧と比較してパルスノイズか否かを判断しているノイズキャンセラは、妨害波もノイズとして判断し、妨害波が持続する間、復調出力を遮断したままの状態を続けるように誤動作してしまう。妨害波の周波数が、後段側のフィルタでは分離可能な程度離れていれば、このようなノイズキャンセラの動作がなければ充分に受信可能であっても、ノイズキャンセラの動作で受信が不可能になってしまう。
【００１２】
特許文献１や前述の▲２▼▲３▼のような狭帯域のフィルタなどを通った後からパルスノイズを検出すると、パルスノイズがなまっていることにより、立上がりの検出が遅れてしまう。また、パルスノイズの有無を判断する基準レベルは、通常の受信レベルよりは高く設定されているので、パルスノイズの波形がなまると、基準レベルに達しないで、検出感度が不足する可能性もある。検出感度が不足するときは、受信信号よりはレベルが高くてもノイズキャンセラが動作する基準レベルには達しないパルスノイズが再生され、音質を損ってしまう。
【００１３】
本発明の目的は、受信状況に応じて適切なパルスノイズの検出を行うことができ、受信信号に混入するパルスノイズを精度良く除去することができるノイズキャンセラを備える受信装置を提供することである。
【００１４】
【課題を解決するための手段】
本発明は、受信信号を増幅や通過帯域幅の制限を行って受信処理し、受信信号にパルスノイズが含まれるときに、パルスノイズを除去するノイズキャンセラを備える受信装置において、
受信信号の受信状況を検出する受信状況検出手段と、
受信状況検出手段によって検出される受信状況に応じて、受信信号の受信処理の過程に関して予め定める複数の異なる位置から１つの位置を選択し、選択される位置から受信信号を入力する入力位置選択手段と、
入力位置選択手段によって選択される位置から入力される受信信号中で、パルスノイズを検出するノイズ検出手段と、
ノイズ検出手段によってパルスノイズが検出されるとき、受信処理される受信信号中から、パルスノイズを含む部分を除去するノイズ除去手段とを含むことを特徴とするノイズキャンセラを備える受信装置である。
【００１５】
本発明に従えば、受信装置は、受信信号を増幅や通過帯域幅の制限を行って受信処理し、受信信号にパルスノイズが含まれるときに、パルスノイズを除去するノイズキャンセラを備え、受信状況検出手段と、入力位置選択手段と、ノイズ検出手段と、ノイズ除去手段とを含む。受信状況検出手段によって、たとえば受信周波数に近い妨害波の有無などの受信状況が検出される。入力位置選択手段は、受信状況に応じて、受信信号の受信処理の過程に関して予め定める複数の異なる位置から１つの位置を選択し、選択される位置から受信信号を入力する。ノイズ検出手段は、入力される受信信号中からパルスノイズを検出するので、たとえば妨害波があるときは通過周波数帯域が狭い後段側の位置から、妨害波が無いときは通過周波数帯域が広い前段側の位置からなど、受信状況に応じて適切な位置からの受信信号をパルスノイズ検出に利用することができる。ノイズ除去手段は、ノイズ検出手段によってパルスノイズが検出されるとき、受信処理される受信信号中から、パルスノイズを含む部分を除去するので、受信信号に混入するパルスノイズを精度良く除去することができる。
【００１６】
また本発明で、前記受信処理は、スーパヘテロダイン方式で行われ、
前記受信信号を高周波増幅する高周波増幅器に、出力に基づくＡＧＣ機能が設けられ、
前記受信状況検出手段は、前記受信状況の検出に、該高周波増幅器のＡＧＣ機能の制御出力を利用することを特徴とする。
【００１７】
本発明に従えば、スーパヘテロダイン方式の受信で、周波数帯域が比較的広い高周波増幅器の利得を入力信号のレベルに応じて制御するＡＧＣ機能の制御出力は、瞬間的なパルス性ノイズが混入してもほとんど変化しないけれども、強力な妨害波が受信されると変化する。妨害波が存在するときには、入力位置選択手段が通過周波数帯域が狭くなる受信処理の後段側からノイズ検出手段でパルスノイズを検出するための受信信号を入力するように選択するので、妨害波による誤検出を避けて、パルスノイズを精度良く検出し、適切に除去することができる。
【００１８】
また本発明で、前記受信処理は、スーパヘテロダイン方式で行われ、
前記受信信号を周波数変換した中間周波数を増幅する中間周波増幅器に、出力に基づくＡＧＣ機能が設けられ、
前記受信状況検出手段は、前記受信状況の検出に、該中間周波増幅器のＡＧＣ機能の制御出力を利用することを特徴とする。
【００１９】
本発明に従えば、スーパヘテロダイン方式の受信で、受信周波数帯域が比較的狭い中間周波増幅器の利得を入力信号のレベルに応じて制御するＡＧＣ機能の制御出力は、瞬間的なパルス性ノイズが混入してもほとんど変化しないけれども、強力な妨害波が受信信号に近い周波数に存在すると変化する。妨害波が存在するときには、入力位置選択手段が通過周波数帯域が狭くなる受信処理の後段側からノイズ検出手段でパルスノイズを検出するための受信信号を入力するように選択するので、妨害波による誤検出を避けて、パルスノイズを精度良く検出し、適切に除去することができる。
【００２０】
また本発明で、前記中間周波増幅器は、複数段設けられ、前段側よりも後段側の方が通過帯域が狭くなり、各段の中間周波増幅器に、それぞれの出力に基づくＡＧＣ機能が設けられており、
前記受信状況検出手段は、前記受信状況の検出に、該複数段の中間周波増幅器のＡＧＣ機能の制御出力の組合せを利用することを特徴とする。
【００２１】
本発明に従えば、中間周波増幅器は、前段側よりも後段側の方が通過帯域が狭くなるように複数段設けられる。各段の中間周波増幅器には、それぞれの出力に基づくＡＧＣ機能が設けられており、受信状況検出手段は、受信状況の検出に、複数段の中間周波増幅器のＡＧＣ機能の制御出力の組合せを利用するので、単独の中間周波数増幅器のＡＧＣ機能の制御出力を受信状況の検出に用いるよりも、確実な受信状況の検出を行うことができる。
【００２２】
また本発明で、前記受信処理では、前記受信信号の入力強度を表すシグナルメータ電圧が出力され、
前記受信状況検出手段は、前記受信状況の検出に、該シグナルメータ電圧を利用することを特徴とする。
【００２３】
本発明に従えば、受信処理で、受信信号の入力強度を表すシグナルメータ電圧が出力され、受信状況の検出にシグナルメータ電圧を利用するので、受信信号の入力強度が弱いような場合は妨害波の影響で誤動作しにくい後段側からの入力でパルスノイズの検出を行い、受信信号の入力強度が強いような場合は妨害波の影響で誤動作しにくいので、前段側からの入力でパルスノイズの検出を行って、精度良くパルスノイズを除去することができる。
【００２４】
【発明の実施の形態】
図１は、本発明の実施の一形態であるノイズキャンセラを備える受信装置１の概略的な電気的構成を示す。本実施形態のノイズキャンセラを備える受信装置１は、アンテナ２に到来する電波信号を、ダブルスーパ方式で増幅し、通過周波数帯域幅を行って受信処理し、受信信号にパルスノイズが含まれるときに、パルスノイズを除去する。受信対象は、たとえば５００ｋＨｚ〜１６００ｋＨｚ程度の中波帯域のＡＭ放送や、７０ＭＨｚ〜１００ＭＨｚ程度のＶＨＦ帯域のＦＭ放送やテレビジョン放送の音声部分などである。アンテナ２に、到来した電波信号に応じて発生する高周波電気信号は、高周波増幅器であるＲＦ＿ＡＭＰ３で高周波増幅される。ＲＦ＿ＡＭＰ３の出力は、第１ＭＩＸ４に入力され、第１ＯＳＣ５で発振する可変の第１局部発振周波数の信号と混合され、周波数の差または和の成分が第１中間周波数として取出される。第１中間周波数は、たとえば１０．７ＭＨｚ帯である。第１ＯＳＣ５は、受信する対称の周波数帯域に応じて、第１中間周波数だけ高いか低いかの違いがある第１局部発振周波数の信号を発生し、第１ＭＩＸ４に与える。ＲＦ＿ＡＭＰ３には、受信する周波数に合わせた高周波同調回路が設けられている。
【００２５】
第１ＭＩＸ４の出力に含まれる第１中間周波数に変換された受信信号は、第１ＩＦフィルタ６で選択される。第１ＩＦフィルタ６は、たとえばセラミックフィルタで実現され、ＲＦ＿ＡＭＰ３に設けられる高周波同調回路よりは急峻な通過周波数帯域選択特性を有する。第１ＩＦフィルタ６を通過した受信信号は、第２ＭＩＸ７で第２ＯＳＣ８から与えられる第２局部発振周波数の信号と混合される。第２局部発信周波数は、第１中間周波数と第２中間周波数との和または差となる周波数である。第２ＭＩＸ７の出力には、第２中間周波数に変換された受信信号が含まれ、第２ＩＦフィルタ９で選択される。第２中間周波数は、たとえば４５０ｋＨｚであり、第２ＩＦフィルタ９はセラミックフィルタなどで実現され、第１ＩＦフィルタ６よりも狭い通過周波数帯域とすることができる。
【００２６】
第２ＩＦフィルタ９を通過した受信信号は、第２ＩＦ＿ＡＭＰ１０で増幅され、検波回路１０で検波される。検波回路１０は、ＡＭ放送の受信ではエンベロープ検波を行い、ＦＭ放送の受信ではＦＭ検波を行う。第２ＩＦ＿ＡＭＰ１０の出力はＳメータ回路１２にも与えられ、受信信号の入力強度を表すシグナルメータ電圧が出力される。シグナルメータ電圧は、たとえば第１ＯＳＣ５の周波数を変化させて放送局を探すシーク動作などで、放送局を受信しているか否かの判定にも使用される。本実施形態は、支部成るメータ電圧から受信状況を検出し、受信状況に応じてパルスノイズの検出ポイントを選択するノイズキャンセラ２０を備えている。
【００２７】
ノイズキャンセラ２０は、受信信号の受信状況を検出する受信状況検出手段である受信状況検出回路２１と、ＳＷ回路２２と、パルスノイズ検出回路２３と、遅延回路２４と、波形処理回路２５とを含む。ＳＷ回路２２は、受信状況検出回路２１手段によって検出される受信状況に応じて、受信信号の受信処理の過程に関して予め定める複数の異なる位置から１つの位置を選択し、選択される位置から受信信号を入力する入力位置選択手段として機能するように、複数のスイッチ（ＳＷ）を含む。ＳＷ回路２２の複数のスイッチは、受信状況検出回路２１によって、１つが選択されてＯＮになり、他はＯＦＦとなる。ＳＷ回路２２の各スイッチには、たとえば、Ａ，Ｂ，Ｃ，Ｄの検出ポイントからの受信信号がそれぞれ入力される。Ａの検出ポイントは、第１ＭＩＸ４の出力である。Ｂの検出ポイントは、第２ＭＩＸ７の出力である。Ｃの検出ポイントは、第２ＩＦフィルタ９の出力である。Ｄの検出ポイントは、検波回路１１の出力である。
【００２８】
パルスノイズ検出回路２３は、ＳＷ回路２２によって選択される位置から入力される受信信号中で、パルスノイズを検出するノイズ検出手段として機能する。パルスノイズの検出は、たとえば受信信号のレベルを、予め設定される基準レベルと比較して行う。パルスノイズ検出回路２３は、基準レベルは、通常の受信信号のレベルよりも高く設定しておき、入力される受信信号が基準レベルを超えている期間、受信信号が基準レベルに達していない期間とは異なる論理値の出力を導出する。パルスノイズ検出回路２３からの出力は、遅延回路２４を経て、波形処理回路２５を制御する。波形処理回路２５は、検波回路１１での検波によって復調される低周波信号から、パルスノイズ検出回路２３によってパルスノイズが検出されるとき、パルスノイズを含む部分を除去するノイズ除去手段として機能する。
【００２９】
本実施形態のノイズキャンセラを備える受信装置１は、受信信号を増幅や通過帯域幅の制限を行って受信処理し、受信信号にパルスノイズが含まれるときに、パルスノイズを除去するノイズキャンセラ２０を備え、受信状況検出手段である受信状況検出回路２１と、入力位置選択手段であるＳＷ回路２２と、ノイズ検出手段であるパルスノイズ検出回路２３と、ノイズ除去手段である波形処理回路２５とを含む。受信状況検出回路２１は、基本的に、受信周波数に近い妨害波の有無などの受信状況を検出する。本実施形態では、受信状況検出回路で、Ｓメータ回路１２から発生するシグナルメータ電圧を利用して受信状況を検出する。受信信号の入力強度が弱いような場合は妨害波の影響で誤動作しにくい後段側のＣ，Ｄの検出ポイントを選択してパルスノイズの検出を行い、受信信号の入力強度が強いような場合は妨害波の影響で誤動作しにくいので、前段側のＡ，Ｂの検出ポイントを選択してパルスノイズの検出を行って、精度良くパルスノイズを除去することができる。
【００３０】
ＳＷ回路２２は、受信状況に応じて、受信信号の受信処理の過程に関して予め定める複数の異なる位置から１つの位置を選択し、選択される位置から受信信号を入力する。パルスノイズ検出回路２３は、入力される受信信号中からパルスノイズを検出するので、たとえば妨害波があるときは通過周波数帯域が狭い後段側の位置から、妨害波が無いときは通過周波数帯域が広い前段側の位置からなど、受信状況に応じて適切な位置からの受信信号をパルスノイズ検出に利用することができる。ノイズ除去手段としての波形処理回路２５は、ノイズ検出手段によってパルスノイズが検出されるとき、受信処理される受信信号中から、パルスノイズを含む部分を除去するので、受信信号に混入するパルスノイズを精度良く除去することができる。
【００３１】
本実施形態では、遅延回路２４を設けて、パルスノイズ検出回路２３からの出力で波形処理回路２５でノイズ除去を行うタイミングを、調整する。すなわち、ＳＷ回路２２で前段側の検出ポイントを選択しているときは、波形処理回路２５でノイズ除去を行うパルスノイズの立上がりよりも先行してノイズ除去が開始され、正常な再生信号も除去されてしまうおそれがある。フィルタなどによる遅延を遅延回路２４で補償する遅延を与え、ノイズの立上がりで除去が開始されるようにタイミングを調整することによって、さらに高精度でノイズ除去を行うことができる。
【００３２】
図２は、本発明の実施の他の形態であるノイズキャンセラを備える受信装置３０の部分的な構成を示す。本実施形態で、図１の実施形態に対応する部分には、同一の参照符を付し、重複する説明を省略する。また、図１の実施形態と同様な構成を省略している部分もある。
【００３３】
本実施形態では、受信状況検出回路３１がＡＧＣ電圧に基づいて受信状況を検出する。第１中間周波数の処理には、受信信号を増幅する第１ＩＦ＿ＡＭＰ３２を設け、ＲＦ＿ＡＭＰ３、第１ＩＦ＿ＡＭＰ３２および第２ＩＦ＿ＡＭＰ１０にそれぞれＷｉｄｅ＿ＡＧＣ回路３３、Ｍｉｄｄｌｅ＿ＡＧＣ回路３４およびＮａｒｒｏｗ＿ＡＧＣ回路３５を設けて、それぞれＡＧＣ制御を行う。受信状況検出回路３１は、各ＡＧＣ電圧に基づいて、パルスノイズの検出ポイントを次の表１のように選択する。
【００３４】
【表１】
2004363694.tif 000003
【００３５】
本実施形態では、中間周波増幅器が複数段設けられ、前段側よりも後段側の方が通過帯域が狭くなり、各段の中間周波増幅器に、それぞれの出力に基づくＡＧＣ機能が設けられている。受信状況検出回路３１は、受信状況の検出に、複数段の中間周波増幅器のＡＧＣ機能の制御出力の組合せを利用する。
【００３６】
受信状況の検出には、単独のＡＧＣ機能の制御出力を利用することもできることはもちろんである。ただし、間周波増幅器が、前段側よりも後段側の方が通過帯域が狭くなるように複数段設けられ、各段の中間周波増幅器には、それぞれの出力に基づくＡＧＣ機能が設けられているときは、受信状況検出回路３１が単独の中間周波数増幅器のＡＧＣ機能の制御出力を受信状況の検出に用いるよりも、複数の組合せを利用する方が、確実な受信状況の検出を行うことができる。
【００３７】
単独のＡＧＣ機能の制御電圧を受信状況の検出に利用する場合、周波数帯域が比較的広い前段側の高周波増幅器の利得を入力信号のレベルに応じて制御するＡＧＣ機能の制御出力は、瞬間的なパルス性ノイズが混入してもほとんど変化しないけれども、強力な妨害波が受信されると変化する。妨害波が存在するときには、入力位置選択手段が通過周波数帯域が狭くなる受信処理の後段側からノイズ検出手段でパルスノイズを検出するための受信信号を入力するように選択するので、妨害波による誤検出を避けて、パルスノイズを精度良く検出し、適切に除去することができる。
【００３８】
【発明の効果】
以上のように本発明によれば、受信状況に応じて、受信信号の受信処理の過程に関して予め定める複数の異なる位置から１つの位置を選択し、選択される位置から入力される受信信号中からパルスノイズを検出する。妨害波があるときは通過周波数帯域が狭い後段側の位置から、妨害波が無いときは通過周波数帯域が広い前段側の位置からなど、受信状況に応じて適切な位置からの受信信号をパルスノイズ検出に利用することができ、受信信号に混入するパルスノイズを、受信状況に応じて精度良く除去することができる。
【００３９】
また本発明によれば、スーパヘテロダイン方式の受信で、周波数帯域が比較的広い高周波増幅器の利得を入力信号のレベルに応じて制御するＡＧＣ機能の制御出力を利用して、受信状況を検出する。妨害波が存在するようなときには、通過周波数帯域が狭くなる受信処理の後段側からパルスノイズを検出するための受信信号を入力するように選択し、パルスノイズを精度良く検出し、適切に除去することができる。
【００４０】
また本発明によれば、スーパヘテロダイン方式の受信で、受信周波数帯域が比較的狭い中間周波増幅器の利得を入力信号のレベルに応じて制御するＡＧＣ機能の制御出力を利用して、受信状況を検出する。妨害波が受信信号に近い周波数に存在するときには、受信処理の後段側からノイズ検出手段でパルスノイズを検出するための受信信号を入力するように選択するので、妨害波による誤検出を避けて、パルスノイズを精度良く検出し、適切に除去することができる。
【００４１】
また本発明によれば、前段側よりも後段側の方が通過帯域が狭くなるように複数段設けられる中間周波増幅器には、それぞれの出力に基づくＡＧＣ機能が設けられる。受信状況の検出には、複数段の中間周波増幅器のＡＧＣ機能の制御出力の組合せを利用するので、単独の中間周波数増幅器のＡＧＣ機能の制御出力を受信状況の検出に用いるよりも、確実な受信状況の検出を行うことができる。
【００４２】
また本発明によれば、受信信号の入力強度を表すシグナルメータ電圧を、受信状況の検出に利用する。受信信号の入力強度が弱いような場合は妨害波の影響で誤動作しにくい後段側からの入力でパルスノイズの検出を行い、受信信号の入力強度が強いような場合は妨害波の影響で誤動作しにくいので、前段側からの入力でパルスノイズの検出を行って、精度良くパルスノイズを除去することができる。
【図面の簡単な説明】
【図１】本発明の実施の一形態であるノイズキャンセラを備える受信装置１の概略的な電気的構成を示すブロック図である。
【図２】本発明の実施の他の形態であるノイズキャンセラを備える受信装置３０の部分的な構成を示すブロック図である。
【符号の説明】
１，３０  ノイズキャンセラを備える受信装置
３  ＲＦ＿ＡＭＰ
６  第１ＩＦフィルタ
９  第２ＩＦフィルタ
１０  第２ＩＦ＿ＡＭＰ
１１  検波回路
１２  Ｓメータ回路
２０  ノイズキャンセラ
２１，３１  受信状況検出回路
２２  ＳＷ回路
２３  パルスノイズ検出回路
２４  遅延回路
２５  波形処理回路
３２  第１ＩＦ＿ＡＭＰ
３３  Ｗｉｄｅ＿ＡＧＣ回路
３４  Ｍｉｄｄｌｅ＿ＡＧＣ回路
３５  Ｎａｒｒｏｗ＿ＡＧＣ回路
【図１】
2004363694.tif 000004
【図２】
2004363694.tif 000005